(57)【要約】【課題】表示枠に表示可能な最大文字数よりもテキストデータの文字数が多いでも、テキスト全体の内容をユーザ側で簡単かつ迅速に把握できるようにする。【解決手段】表示可能な最大文字数が所定数に制限された表示枠を含むタッチパネルディスプレイ１２と、表示枠への表示対象となるテキストデータの文字数が所定数を超える場合に、テキストデータの文字の一部を省略した表示形態で表示枠にテキストデータを表示するようにタッチパネルディスプレイ１２を制御するとともに、テキストデータの文字省略部位が異なる複数の表示形態の中からいずれか１つを適用するＣＰＵ５と、このＣＰＵ５によって適用される表示形態を切り替える表示切替ボタンとを備えた装置構成とする。【選択図】図１
2007034647.tif 000002
【特許請求の範囲】
【請求項１】
表示可能な最大文字数が所定数に制限された表示枠を含む表示手段と、
前記表示枠への表示対象となるテキストデータの文字数が前記所定数を超える場合に、前記テキストデータの文字の一部を省略した表示形態で前記表示枠に当該テキストデータを表示するように前記表示手段を制御するとともに、前記テキストデータの文字省略部位が異なる複数の表示形態の中からいずれか１つを適用する表示制御手段と、
前記表示制御手段によって適用される前記表示形態を切り替える切替手段と
を備えることを特徴とする表示装置。
【請求項２】
前記表示制御手段は、前記複数の表示形態として、前記テキストデータの後側の文字を省略して表示する第１の表示形態と、前記テキストデータの前側の文字を省略して表示する第２の表示形態と、前記テキストデータの中間の文字を省略して表示する第３の表示形態とを含む
ことを特徴とする請求項１記載の表示装置。
【請求項３】
前記切替手段は、ユーザによって操作される表示切替ボタンからなる
ことを特徴とする請求項１記載の表示装置。
【請求項４】
前記複数の表示形態の中から前記表示制御手段によって最初に適用される表示形態を設定する初期設定手段を備える
ことを特徴とする請求項１記載の表示装置。
【請求項５】
前記表示制御手段は、前記表示切替ボタンが押下されるたびに、前記複数の表示形態のうちの１つを順に適用する
ことを特徴とする請求項３記載の表示装置。
【請求項６】
前記表示手段は、タッチパネルディスプレイからなり、
前記切替表示ボタンは、前記タッチパネルディスプレイ内に設けられる
ことを特徴とする請求項３記載の表示装置。
【請求項７】
前記表示手段は、タッチパネルディスプレイからなり、
前記切替表示ボタンは、前記タッチパネルディスプレイとは別に設けられる
ことを特徴とする請求項３記載の表示装置。
【請求項８】
前記表示切替ボタンは、前記複数の表示形態に対応付けられた複数のボタンからなり、
前記表示制御手段は、前記複数のボタンのうちの１つが押下されると、当該押下されたボタンに対応する表示形態を適用する
ことを特徴とする請求項３記載の表示装置。
【請求項９】
前記切替表示ボタンは、前記タッチパネルディスプレイの前記表示枠に前記複数の表示形態のうちの１つを適用して前記テキストデータを表示したときに、当該表示枠に設けられる
ことを特徴とする請求項６記載の表示装置。
【請求項１０】
請求項１〜９のいずれか１項に記載の表示装置を備える
ことを特徴とする画像形成装置。
【請求項１１】
請求項１〜９のいずれか１項に記載の表示装置を備える
ことを特徴とする電子機器。
【請求項１２】
表示可能な最大文字数が所定数に制限された表示枠に対して、当該表示枠への表示対象となるテキストデータの文字数が前記所定数を超える場合に、
前記テキストデータの文字の一部を省略した表示形態で前記表示枠に当該テキストデータを表示するとともに、前記テキストデータの文字省略部位が異なる複数の表示形態の中からいずれか１つを適用し、かつ当該適用する表示形態を切り替え可能とする
ことを特徴とする表示方法。
【請求項１３】
前記複数の表示形態として、前記テキストデータの後側の文字を省略して表示する第１の表示形態と、前記テキストデータの前側の文字を省略して表示する第２の表示形態と、前記テキストデータの中間の文字を省略して表示する第３の表示形態とを含む
ことを特徴とする請求項１２記載の表示方法。
【請求項１４】
前記表示形態の切り替えを、ユーザによって操作される表示切替ボタンによって行う
ことを特徴とする請求項１２記載の表示方法。
【請求項１５】
前記複数の表示形態の中から最初に適用する表示形態を設定する
ことを特徴とする請求項１２記載の表示方法。
【請求項１６】
前記表示切替ボタンが押下されるたびに、前記複数の表示形態のうちの１つを順に適用する
ことを特徴とする請求項１４記載の表示方法。
【請求項１７】
前記表示切替ボタンは、前記複数の表示形態に対応付けられた複数のボタンからなり、
前記複数のボタンのうちの１つが押下されたときに、当該押下されたボタンに対応する表示形態を適用する
ことを特徴とする請求項１４記載の表示方法。
【発明の詳細な説明】
【技術分野】
【０００１】
本発明は、テキストデータを表示可能な表示装置とこれを備える画像形成装置及び電子機器、並びに表示方法に関する。
【背景技術】
【０００２】
一般に、小型の液晶パネル等の表示画面にテキストデータ（文字コードで構成された文字列）を表示するにあたって、実際に表示しようとするテキストデータの文字数が、表示画面の表示枠内に表示可能な最大文字数（以下、「表示可能文字数」とも記す）よりも多い場合は、テキストデータの前側（先頭側）から表示可能文字数分を抜き出して表示している。例えば、テキストデータの文字数が２５文字で、表示可能文字数が２０文字であれば、テキストデータの前側から数えて２０文字までを表示し、残り５文字の表示は省略している。
【０００３】
このような表示方法にしたがって、例えば、ＦＡＸ（ファクシミリ）機能を有するデジタル複合機の操作パネルの表示画面に複数のＦＡＸの宛先情報を表示する場合、宛先情報がＦＡＸ送信相手の会社名、部署名、氏名の並び順で登録されていると、次のような不具合を招くことがある。すなわち、会社名と部署名を合わせたテキストデータの文字数が表示可能文字数以上になっていると、操作パネルの表示画面にＦＡＸ送信相手の氏名が表示されない。このため、同じ会社の同じ部署に所属する数人の相手をＦＡＸの宛先に指定（選択）した場合に、宛先情報として表示される各人の表示内容が全て同じ内容になってしまう。このため、操作者は、表示画面に表示された宛先情報からＦＡＸ送信相手を識別できなくなってしまう。
【０００４】
そこで、例えば下記特許文献１には、携帯電話装置に関する技術で、表示画面に表示する表示物のサイズを、表示画面に表示できる表示物の最大数に合わせて変更調整する表示サイズ変調調整手段を備えたものが記載されている。この従来技術によれば、上述のようにテキストデータの文字数が表示可能文字数よりも多い場合に、テキストサイズ（フォントサイズ）を縮小して表示することで、テキストデータの文字をより多く表示することができる。
【０００５】
【特許文献１】特開２００３−６０７６７号公報
【発明の開示】
【発明が解決しようとする課題】
【０００６】
しかしながら、上記従来技術においては、表示画面に表示されるテキストデータの文字サイズが小さくなるため、表示文字の可読性が低下してしまう。また、別の方法として、スクロール表示によってテキストデータの全てを表示する方法もあるが、この方法では、（１）テキストが移動するため見づらい、（２）テキストの内容を認識しづらい、（３）テキスト全体の内容を把握するまでに時間がかかるという欠点があった。
【課題を解決するための手段】
【０００７】
本発明に係る表示装置は、表示可能な最大文字数が所定数に制限された表示枠を含む表示手段と、表示枠への表示対象となるテキストデータの文字数が所定数を超える場合に、テキストデータの文字の一部を省略した表示形態で表示枠に当該テキストデータを表示するように表示手段を制御するとともに、テキストデータの文字省略部位が異なる複数の表示形態の中からいずれか１つを適用する表示制御手段と、この表示制御手段によって適用される表示形態を切り替える切替手段とを備えるものである。
【０００８】
本発明に係る表示装置においては、表示手段の表示枠に表示しようとするテキストデータの文字数が所定数を超える場合に、テキストデータの文字の一部を省略した表示形態で表示枠にテキストデータが表示され、このテキストデータの表示に適用される表示形態を切り替えると、これに応じてテキストデータの文字省略部位が、例えばテキストの後側、前側、中間などのように変化する。
【発明の効果】
【０００９】
本発明によれば、表示手段の表示枠に表示しようとするテキストデータの文字数が所定数を超える場合でも、そのテキストデータの表示に適用される表示形態を適宜切り替えることにより、テキスト全体の内容をユーザ側で簡単かつ迅速に把握することができる。また、テキストデータの文字サイズを小さくする必要がないため、表示文字の可読性の低下を回避することができる。
【発明を実施するための最良の形態】
【００１０】
以下、本発明の具体的な実施の形態について図面を参照しつつ詳細に説明する。なお、以下の実施形態においては、本発明を画像形成装置に適用した場合について説明するが、本発明はこれに限らず、各種の表示装置や、携帯電話、ＰＤＡ(Personal Digital Assistant)などの電子機器にも適用可能である。
【００１１】
図１は本発明が適用される画像形成装置（デジタル複合機）の構成例を示す図である。図示した画像形成装置は、大きくは、コントローラ１と、操作パネル２と、スキャナ部３と、プリンタ部４とを備えた構成となっている。
【００１２】
コントローラ１は、画像形成装置の処理動作を統括的に制御するもので、ＣＰＵ(Central Processing Unit)５と、メモリ６と、モデム７と、ハードディスク(HDD:Hard Disk Drive)８と、パネルインタフェース（パネルＩ／Ｆ）９と、入力インタフェース（入力Ｉ／Ｆ）１０と、出力インタフェース（出力Ｉ／Ｆ）１１とを備えている。
【００１３】
ＣＰＵ５は、ハードディスク８に格納された制御プログラムをメモリ６に読み出し、この制御プログラムにしたがって画像形成装置全体の処理動作を制御するものである。メモリ６は、例えばＲＡＭ(Random Access Memory)によって構成されるもので、ＣＰＵ５がハードディスク８からプログラムを読み出して実行するときの作業領域として用いられる。
【００１４】
モデム７は、ＦＡＸデータの送信及び受信を行うＦＡＸ機能を提供するものである。ハードディスク８は、種々のプログラムやデータを記憶するものである。パネルインタフェース９は、コントローラ１と操作パネル２との間でデータのやり取りを行うものである。入力インタフェース１０は、コントローラ１とスキャナ部３との間でデータのやり取りを行うもので、出力インタフェース１１は、コントローラ１とプリンタ部４との間でデータのやり取りを行うものである。
【００１５】
操作パネル２は、画像形成装置を使用するユーザが各種の情報を入力したり、ユーザに対して各種の情報を表示したりするためのＵＩ（ユーザインタフェース）となるものである。操作パネル２は、例えば、タッチパネルディスプレイ１２と、３つの操作ボタン（押しボタン）１３，１４，１５とを有する構成となっている。タッチパネルディスプレイ１２は、例えば、液晶ディスプレイの表示面にタッチパネルを取り付けたものである。
【００１６】
図２は操作パネル２のタッチパネルディスプレイ１２に表示されたＦＡＸ利用時の基本画面を示す図である。図示したＦＡＸの基本画面には、ＦＡＸの宛先を４件まで指定可能な宛先表示枠１６〜１９と、宛先表示切替ボタン２０と、宛先表ボタン２１と、キーボードボタン２２とが設けられている。各々の宛先表示枠１６〜１９にテキストデータを表示するにあたって表示可能な最大文字数（所定数）は、全角で１３文字となっている。
【００１７】
宛先表示切替ボタン２０は、各々の宛先表示枠１６〜１９に表示される宛先情報の表示形態を切り替えるためのボタンである。この宛先表示切替ボタン２０をユーザが押下すると、その都度、図３に示す切替遷移テーブルにしたがって、各々の宛先表示枠１６〜１９に適用される宛先の表示形態が切り替わる。ここでは、一例として、宛先表示切替ボタン２０の押下したときに、各々の宛先表示枠１６〜１９に適用される宛先（テキストデータ）の表示形態が全て同時に切り替わるものとするが、他の例として、各々の宛先表示枠１６〜１９に適用される宛先の表示形態を個々に切替可能な構成としてもよい。切替遷移テーブルは、ＣＰＵ５がタッチパネルディスプレイ１２の表示制御を行うときの制御用データの一つとして、予めハードディスク８に記憶されるものである。切替遷移テーブルには、ＣＰＵ５でテキストデータの表示形態を適用するときの適用順にしたがって、「後側省略」、「前側省略」、「中間省略」といった３つの表示形態が登録されている。
【００１８】
このうち、「後側省略」という表示形態は、宛先情報の宛先名として宛先表に登録されたテキストデータの文字数が、各々の宛先表示枠１６〜１９に表示可能な最大文字数（１３文字）を超えてしまい、これによって当該表示枠内に表示できない文字がある場合に、テキストデータの文字列方向において、テキストデータの前側（先頭側）の文字から優先的に表示し、表示可能文字数を超えるテキストデータの後側の文字の表示を省略する表示形態をいう。ちなみに、テキストデータの文字列方向において、前側とは読み始め側（書き始め側）をいい、後側とは読み終わり側（書き終わり側）をいう。
【００１９】
また、「前側省略」という表示形態は、上述のように表示可能文字数の制限のために宛先表示枠に表示できないテキストデータの文字がある場合に、テキストデータの後側の文字から優先的に表示し、表示可能文字数を超えるテキストデータの前側の文字の表示を省略する表示形態をいう。また、「中間省略」という宛先の表示形態は、上述のように表示可能文字数の制限のために宛先表示枠に表示できない文字がある場合に、テキストデータの前側と後側の文字から優先的に表示し、表示可能文字数を超えるテキストデータの中間の文字の表示を省略する表示形態をいう。
【００２０】
これに対して、ＣＰＵ５は、上記３つの表示形態の中からいずれか１つを適用して各々の宛先表示枠１６〜１９に宛先を表示するようにタッチパネルディスプレイ１２を制御する。この表示制御に際して、ＣＰＵ５は、画像形成装置の電源を投入してＦＡＸの基本画面をタッチパネルディスプレイ１２に表示したときに、上記切替遷移テーブルの適用順にしたがって、最初に「後側省略」の表示形態を適用する。その後、ＣＰＵ５は、宛先表示切替ボタン２０が押されると、「前側省略」の表示形態を適用し、さらに宛先表示切替ボタン２０が押されると、「中間省略」の表示形態を適用する。以後、宛先表示ボタン２０が押されるたびに、ＣＰＵ５は、上記同様の順序で表示形態を順に適用する。このとき、ＣＰＵ５によって最初に適用される表示形態を、ユーザの好みに応じて、例えば「後側省略」から「前側省略」又は「中間省略」に変更できるように、切替遷移テーブルの適用順を任意に設定可能な構成とするのが望ましい。
【００２１】
宛先表ボタン２１は、タッチパネルディスプレイ１２の表示画面を宛先表画面に切り替えるためのボタンである。この宛先表ボタン２１をユーザが押下すると、予めテキストデータで登録（入力）してある宛先の一覧と、その一覧の中からＦＡＸの宛先を指定（選択）するためのボタン（後述）が表示される。
【００２２】
キーボードボタン２２は、タッチパネルディスプレイ１２の表示画面を図示しないキーボード画面に切り替えるためのボタンである。このキーボードボタン２２をユーザが押下すると、タッチパネルディスプレイ１２に上記キーボード画面が表示される。このため、ユーザは、キーボード画面を操作してＦＡＸの宛先（ＦＡＸ番号等）を直接入力することが可能となる。
【００２３】
ここで、ＦＡＸの宛先を指定する際の具体的な操作手順とこれに基づく画像形成装置の処理手順について説明する。
【００２４】
まず、上記図２に示すＦＡＸの基本画面では宛先が１件も指定されていない状態になっている。この表示状態のもとで、例えばユーザが宛先表ボタン２１を押下すると、その押下位置を示す座標データが操作パネル２からパネルインタフェース９を介してＣＰＵ５に入力される。これにより、ＣＰＵ５は、宛先表ボタン２１がユーザによって押下されたと判断して、タッチパネルディスプレイ１２の表示画面を上記基本画面から図４に示す宛先表画面に切り替える。ＦＡＸの宛先表画面は、宛先表の登録データ（入力データ）に基づく宛先の一覧の中から、ユーザがＦＡＸの宛先を指定（選択）するために表示される画面である。
【００２５】
図５はハードディスク８にテキストデータで登録してある宛先表のデータ構造を示す図である。この宛先表では、データ番号に対応付けて宛先名とＦＡＸ番号をテキストデータで入力することにより、各々の宛先情報（宛先名及びＦＡＸ番号）が登録されている。この登録情報にしたがって上記図４の宛先表画面には宛先情報の宛先名が一覧で表示されている。また、宛先表画面には、ユーザが宛先を指定（選択）するための操作用ボタンとして、詳細ボタン２３、取り消しボタン２４、決定ボタン２５、ページめくりボタン２６，２７が設けられている。
【００２６】
詳細ボタン２３は、ハードディスク８内の宛先表に登録された宛先情報の詳細を示す宛先詳細画面をタッチパネルディスプレイ１２に表示するためのボタンである。例えば、上記図４に示す宛先表画面の中で、１番に登録（最上段に表示）された宛先情報の表示文字部分を押下すると、その座標データを受け取ったＣＰＵ５は１番の宛先情報を選択候補に設定し、この設定に基づいて、例えば選択候補の表示文字部分の背景色を変化させる。
【００２７】
このように選択候補を設定した状態でユーザが詳細ボタン２３を押下すると、その座標データを受け取ってＣＰＵ５がタッチパネルディスプレイ１２の表示画面を上記宛先表画面から図６に示す宛先詳細画面に切り替える。この宛先詳細画面では、現在選択候補として設定されている宛先情報の詳細（宛先名及びＦＡＸ番号）が表示される。また、宛先詳細画面には閉じるボタン２８が設けられており、この閉じるボタン２８をユーザが押下すると、その座標データを受け取ったＣＰＵ５はタッチパネルディスプレイ１２の表示画面を宛先詳細画面から宛先表画面（元の画面）に切り替える。
【００２８】
取り消しボタン２４は、宛先表画面の表示を取り消すためのボタンである。この取り消しボタン２４をユーザが押下すると、その座標データを受け取ったＣＰＵ５はタッチパネルディスプレイ１２の表示画面を宛先表画面から基本画面に切り替える。
【００２９】
決定ボタン２５は、上述のように設定された選択候補をＦＡＸの宛先として確定するためのボタンである。この決定ボタン２５をユーザが押下すると、その座標データを受け取ったＣＰＵ５は選択候補に設定してある宛先情報の宛先名をメモリ６上に保持するとともに、タッチパネルディスプレイ１２の表示画面を宛先表画面から基本画面に切り替えて、当該基本画面内の「宛先１」に対応する宛先表示枠１６に当該宛先名を表示する。
【００３０】
ページめくりボタン２６，２７は、宛先表画面のページを次のページに進めたり、前のページに戻したりするためのボタンである。このうち、ページめくりボタン２６をユーザが押下すると、その座標データを受け取ったＣＰＵ５はタッチパネルディスプレイ１２に表示されている宛先表画面を前のページに戻す。ただし、１ページ目の宛先表画面を表示している状況でページめくりボタン２６がユーザにより押下された場合は、そのまま１ページ目の宛先表画面の表示を継続する。また、ページめくりボタン２７をユーザが押下すると、その座標データを受け取ったＣＰＵ５はタッチパネルディスプレイ１２に表示されている宛先表画面を次のページに進める。ただし、最終ページの宛先表示画面を表示している状況でページめくりボタン２７がユーザにより押下された場合は、そのまま最終ページの宛先表画面の表示を継続する。
【００３１】
ここで、例えば図４に示す宛先表画面の１番に登録された宛先情報を選択候補としてユーザが決定ボタン２５を押下した場合は、図７（Ａ）に示すような基本画面がタッチパネルディスプレイ１２に表示され、その後、上記同様の操作手順にしたがって、宛先表画面の２番に登録された宛先情報を選択候補としてユーザが決定ボタン２５を押下した場合は、図７（Ｂ）に示すような基本画面がタッチパネルディスプレイ１２に表示される。
【００３２】
図７（Ｂ）に示す基本画面において、宛先表示切替ボタン２０の近傍には、現在の宛先の表示形態を示す「後側省略」という文字が表示されている。これに対して、宛先表の１番に登録された宛先情報と２番に登録された宛先情報は、いずれも宛先名が会社名、部署名、氏名の並び順で入力され、しかも会社名と部署名が同じで、氏名だけが異なっている。また、会社名と部署名を合わせたテキストデータの文字数が１２文字で、これに氏名を加えた宛先名全体のテキストデータの文字数が１３文字を超えている。つまり、宛先名を示すテキストデータの文字数が、宛先表示枠に表示可能な最大文字数（１３文字）を超えている。
【００３３】
そうした場合、ＣＰＵ５は、宛先名を示すテキストデータの文字の一部を省略した表示形態で、それぞれ該当する宛先表示枠に宛先名のテキストデータを表示するようにタッチパネルディスプレイ１２の表示を制御する。また、かかる表示制御に際して、ＣＰＵ５は、上記図３に示す切替遷移テーブルにしたがって最初に「後側省略」という表示形態を適用し、この表示形態で各々の宛先表示枠に宛先名のテキストデータを表示する。
【００３４】
したがって、例えば、テキストデータの中で表示を省略する文字部分を、全角１文字の省略マーク「…」に置き換えて表示するものとすると、「後側省略」の表示形態を適用した場合は、宛先情報の宛先名が前側から数えて１２文字まで表示され、残り１文字分の最後尾の文字スペースに省略マークが表示される。このため、上記図７（Ｂ）に示す基本画面では、「宛先１」の宛先表示枠１６に表示されるテキストデータの文字と、「宛先２」の宛先表示枠１７に表示されるテキストデータの文字が、全く同じものとなる。
【００３５】
こうした状況でユーザが宛先表示切替ボタン２０を押下すると、その座標データを受け取ったＣＰＵ５は基本画面の中で、宛先表示枠に適用する宛先の表示形態を上記図７（Ｂ）に示す「後側省略」から図８に示す「前側省略」に切り替える。
【００３６】
このように宛先の表示形態を「前側省略」に切り替えた場合は、宛先情報の宛先名が後側から数えて１２文字まで表示され、残り１文字分の先頭の文字スペースに省略マークが表示される。このため、上記図８に示す基本画面では、「宛先１」の宛先表示枠１６と、「宛先２」の宛先表示枠１７に、それぞれ宛先情報の宛先名として会社名の一部と部署名、及び氏名が表示される。この場合、宛先表示枠１６に表示される氏名は「富士たろう」となり、宛先表示枠１７に表示される氏名は「山田次郎」となる。
【００３７】
こうした状況でさらにユーザが宛先表示切替ボタン２０を押下すると、その座標データを受け取ったＣＰＵ５は基本画面の中で、宛先表示枠に適用する宛先の表示形態を上記図８に示す「前側省略」から図９に示す「中間省略」に切り替える。
【００３８】
このように宛先の表示形態を「中間省略」に切り替えた場合は、宛先情報の宛先名が前から数えて６文字までと後側から数えて６文字までの計１２文字表示され、残り１文字分の真ん中の文字スペースに省略マークが表示される。このため、上記図９に示す基本画面では、「宛先１」の宛先表示枠１６と、「宛先２」の宛先表示枠１７に、それぞれ宛先情報の宛先名として会社名の一部と氏名が表示される。
【００３９】
このように本発明の実施形態に係る画像形成装置においては、ユーザがＦＡＸ機能を利用するときにタッチパネルディスプレイ１２に表示される基本画面の中で、宛先表示枠１６〜１９に適用される宛先の表示形態を宛先表示切替ボタン２０で簡単に切り替えることができる。したがって、操作パネル２を操作するユーザは、タッチパネルディスプレイ１２に表示された基本画面の中で、宛先表示枠１６〜１９に表示された宛先を識別できなかった場合は、宛先表示切替ボタン２０を押下して宛先の表示形態を適宜切り替えることにより、個々の宛先を簡単に素早く識別できるようになる。
【００４０】
また、タッチパネルディスプレイ１２内に宛先表示切替ボタン２０を設けるようにしたので、ユーザは、タッチパネルディスプレイ１２から目を離さずに宛先の表示形態を切り替えることができる。
【００４１】
なお、上記図５に示す宛先表のデータ構造では、１番〜３番に登録された宛先情報の宛先名（テキストデータ）が、それぞれ会社名、部署名、氏名の並び順で入力されているのに対し、４番と５番に登録された宛先情報の宛先名は、それぞれ氏名の後に括弧書きで会社名と部署名が入力されたものとなっている。したがって、４番と５番に登録された宛先情報をそれぞれ基本画面の「宛先１」と「宛先２」で指定（決定ボタン２５で選択）した場合は、図１０に示すように、「後側省略」という表示形態を適用することにより、宛先表示枠１６，１７に表示された宛先をユーザ側で識別することが可能となる。
【００４２】
また、上記実施形態においては、タッチパネルディスプレイ１２のＦＡＸ基本画面内に１つの宛先表示切替ボタン２０を設け、この宛先表示切替ボタン２０をユーザが押下するたびに、ＣＰＵ５は、「後側省略」「前側省略」「中間省略」といった３つの表示形態のうちの１つを順に適用するものとしたが、これ以外にも、例えば図１１に示すように、タッチパネルディスプレイ１２のＦＡＸ基本画面内に宛先表示切替用として３つのボタン２０Ａ，２０Ｂ，２０Ｃを設けるとともに、ボタン２０Ａには「後側省略」の表示形態、ボタン２０Ｂには「前側省略」の表示形態、ボタン２０Ｃには「中間省略」の表示形態を予め対応付けておき、ボタン２０Ａが押下された場合はＣＰＵ５が「後側省略」の表示形態を適用し、ボタン２０Ｂが押下された場合はＣＰＵ５が「前側省略」の表示形態を適用し、ボタン２０Ｃが押下された場合はＣＰＵ５が「中間省略」の表示形態を適用する構成を採用することも可能である。
【００４３】
かかる構成においては、ＦＡＸの基本画面をタッチパネルディスプレイ１２に表示した状態で、ユーザがボタン２０Ａを押下すると、宛先表示枠１６，１７内の表示形態が図１２（Ａ）のような「後側省略」に切り替わり、ユーザがボタン２０Ｂを押下すると、宛先表示枠１６，１７内の表示形態が図１２（Ｂ）のような「前側省略」に切り替わり、ユーザがボタン２０Ｃを押下すると、宛先表示枠１６，１７内の表示形態が図１２（Ｃ）のような「中間省略」に切り替わる。このため、ユーザは、宛先表示枠１６〜１９に適用したい表示形態をワンタッチでダイレクトに切り替えることができる。
【００４４】
また、本発明の他の実施形態として、例えば、図１３に示すように、タッチパネルディスプレイ１２を含む操作パネル２において、タッチパネルディスプレイ１２とは別個で操作パネル１２に宛先表示切替ボタン２９を設け、この宛先表示切替ボタン２９をユーザが押下するたびに、宛先の表示形態が「後側省略」、「前側省略」、「中間省略」の順で適用され、この適用順にしたがって基本画面の宛先表示状態が図１２（Ａ）〜（Ｃ）の順で切り替わる構成を採用してもよい。
【００４５】
また、図１４に示すように、タッチパネルディスプレイ１２を含む操作パネル２において、タッチパネルディスプレイ１２とは別個で操作パネル１２に宛先表示切替用の３つのボタン３０Ａ，３０Ｂ，３０Ｃを設け、このうち、ボタン３０Ａが押下された場合は「後側省略」の表示形態を適用して基本画面の宛先を上記図１２（Ａ）のように表示し、ボタン３０Ｂが押下された場合は「前側省略」の表示形態を適用して基本画面の宛先を上記図１２（Ｂ）のように表示し、ボタン３０Ｃが押下された場合は「中間省略」の表示形態を適用して基本画面の宛先を上記図１２（Ａ）のように表示する構成を採用してもよい。
【００４６】
このようにタッチパネルディスプレイ１２とは別に宛先表示切替ボタンを設けることにより、タッチパネルディスプレイ１２の表示画面内に、より多くの宛先を同時に表示することが可能となる。すなわち、タッチパネルディスプレイ１２内に宛先表示切替ボタンを設けた場合は、４つの宛先を同時に表示可能となっているが、タッチパネルディスプレイ１２と別に宛先表示切替ボタンを設けた場合は、５つの宛先を同時に表示可能となる。このため、ＦＡＸの基本画面で一度に指定できる宛先の数を増やすことができる。
【００４７】
また、図示はしないが、宛先表示切替ボタンをリモートコントローラー等の操作ボタンに割り当てた場合でも同様の効果が得られる。さらに、タッチパネルディスプレイ１２内に宛先表示切替ボタンを設けるにあたって、いずれかの宛先表示枠に１つの表示形態（例えば、「後側省略」）を適用して宛先のテキストデータを表示したときに、この表示枠に宛先表示切替ボタンを設け、当該表示枠がユーザによって押下されるたびに、当該宛先表示枠に適用される宛先の表示形態を順に切り替える構成を採用した場合も同様の効果が得られる。
【図面の簡単な説明】
【００４８】
【図１】本発明が適用される画像形成装置の構成例を示す図である。
【図２】ＦＡＸの基本画面を示す図（その１）である。
【図３】表示遷移テーブルを示す図である。
【図４】ＦＡＸの宛先表画面を示す図である。
【図５】宛先表のデータ構造を示す図である。
【図６】ＦＡＸの宛先詳細画面を示す図である。
【図７】ＦＡＸの基本画面を示す図（その２）である。
【図８】ＦＡＸの基本画面を示す図（その３）である。
【図９】ＦＡＸの基本画面を示す図（その４）である。
【図１０】ＦＡＸの基本画面を示す図（その５）である。
【図１１】ＦＡＸの基本画面を示す図（その６）である。
【図１２】テキストデータの表示形態を切り替えたときの表示例を示す図である。
【図１３】本発明の他の実施形態を説明する図（その１）である。
【図１４】本発明の他の実施形態を説明する図（その２）である。
【符号の説明】
【００４９】
１…コントローラ、２…操作パネル、５…ＣＰＵ、１２…タッチパネルディスプレイ、１６〜１９…宛先表示枠、２０…宛先表示切替ボタン
【図１】
2007034647.tif 000003
【図２】
2007034647.tif 000004
【図３】
2007034647.tif 000005
【図４】
2007034647.tif 000006
【図５】
2007034647.tif 000007
【図６】
2007034647.tif 000008
【図７】
2007034647.tif 000009
【図８】
2007034647.tif 000010
【図９】
2007034647.tif 000011
【図１０】
2007034647.tif 000012
【図１１】
2007034647.tif 000013
【図１２】
2007034647.tif 000014
【図１３】
2007034647.tif 000015
【図１４】
2007034647.tif 000016